(57)【特許請求の範囲】
【請求項１】
蓄電池を有し需要家施設に設けられる蓄電装置、を制御する蓄電制御システムであって、
前記需要家施設において、前記蓄電装置が有する第２通信部と通信可能に構成される第１通信部と、
前記第１通信部と前記第２通信部との間の通信に異常が発生した場合における前記蓄電装置への動作指示内容を示し、前記蓄電装置の記憶部に記憶される補助制御指示を作成する作成部と、
前記蓄電装置への動作指示内容を示す主制御指示、及び前記補助制御指示を、前記第１通信部を介して前記蓄電装置に出力する蓄電制御部とを備え、
前記蓄電制御部は、現在の時刻に対応する前記主制御指示及び前記補助制御指示を所定の間隔で前記蓄電装置に出力する
ことを特徴とする蓄電制御システム。
【請求項２】
前記補助制御指示が示す前記動作指示内容は、前記蓄電池の充電、及び前記蓄電池の放電を含む前記蓄電装置の動作モードである
ことを特徴とする請求項１記載の蓄電制御システム。
【請求項３】
請求項１または２記載の蓄電制御システムと、
蓄電装置とを備え、
前記蓄電装置は、
蓄電池と、
前記第１通信部と通信可能に構成される前記第２通信部と、
前記蓄電池の充放電を制御する充放電制御部と、
前記第１通信部と前記第２通信部との間における通信が正常であるか異常であるかを判断する判断部とを備え、
前記第２通信部は、前記第１通信部との間の通信が正常時において前記蓄電制御部から、前記主制御指示、及び前記補助制御指示を受信し、
前記充放電制御部は、
前記判断部が前記第１通信部と前記第２通信部との間における通信が正常であると判断した場合、前記主制御指示に基づいて、前記蓄電池の充放電を制御し、
前記判断部が前記第１通信部と前記第２通信部との間における通信が異常であると判断した場合、前記第１通信部と前記第２通信部との間における通信の正常時に受信した前記補助制御指示に基づいて、前記蓄電池の充放電を制御する
ことを特徴とする蓄電システム。
【請求項４】
蓄電池を有し需要家施設に設けられる蓄電装置、を制御する蓄電制御装置であって、
前記需要家施設において、前記蓄電装置が有する第２通信部と通信可能に構成される第１通信部と、
前記蓄電装置への動作指示内容を示す主制御指示、及び前記第１通信部と前記第２通信部との間の通信に異常が発生した場合における前記蓄電装置への動作指示内容を示し、前記蓄電装置の記憶部に記憶される補助制御指示を、前記第１通信部を介して前記蓄電装置に出力する蓄電制御部とを備え、
前記蓄電制御部は、現在の時刻に対応する前記主制御指示及び前記補助制御指示を所定の間隔で前記蓄電装置に出力する
ことを特徴とする蓄電制御装置。
【請求項５】
前記補助制御指示を作成する作成部をさらに備える
ことを特徴とする請求項４記載の蓄電制御装置。
【請求項６】
需要家施設に設けられる蓄電池の充放電を制御する充放電制御装置であって、
前記需要家施設において、蓄電制御装置が有する第１通信部と通信可能に構成される第２通信部と、
前記蓄電池の充放電を制御する充放電制御部と、
前記第１通信部と前記第２通信部との間における通信が正常であるか異常であるかを判断する判断部とを備え、
前記第２通信部は、前記第１通信部との間の通信が正常時において前記蓄電制御装置から、自装置の動作指示内容を示す主制御指示、及び前記第１通信部と前記第２通信部との間の通信に異常が発生した場合における自装置の動作指示内容を示し、前記充放電制御装置の記憶部に記憶される補助制御指示を受信し、
前記充放電制御部は、
前記判断部が前記第１通信部と前記第２通信部との間における通信が正常であると判断した場合、前記主制御指示に基づいて、前記蓄電池の充放電を制御し、
前記判断部が前記第１通信部と前記第２通信部との間における通信が異常であると判断した場合、前記第１通信部と前記第２通信部との間における通信の正常時に受信した前記補助制御指示に基づいて、前記蓄電池の充放電を制御し、
前記第２通信部は、現在の時刻に対応する前記主制御指示及び前記補助制御指示を所定の間隔で受信する
ことを特徴とする充放電制御装置。
【請求項７】
前記充放電制御部は、前記蓄電池の残容量と、前記主制御指示または前記補助制御指示とに基づいて、前記蓄電池の充放電を制御する
ことを特徴とする請求項６記載の充放電制御装置。
【請求項８】
前記充放電制御部は、前記判断部の判断結果が、前記第１通信部と前記第２通信部との間における通信の異常状態から正常状態に切り替わった場合、前記第２通信部が受信した前記主制御指示に基づいて、前記蓄電池の充放電を制御する
ことを特徴とする請求項６または７記載の充放電制御装置。
【請求項９】
需要家施設に設けられる蓄電池と、
請求項６〜８のいずれか１項に記載の充放電制御装置とを備える
ことを特徴とする蓄電装置。
【発明の詳細な説明】
【技術分野】
【０００１】
本発明は、蓄電制御システム、蓄電システム、蓄電制御装置、充放電制御装置、及び蓄電装置に関する。
【背景技術】
【０００２】
従来、電力を蓄積する蓄電池を備える蓄電装置と、蓄電装置と通信を行う制御装置（蓄電制御装置）とを有する管理システム（蓄電制御システム）が知られている（例えば、特許文献１参照）。特許文献１では、制御装置が、蓄電池の運転モードを蓄電装置に指示する構成が開示されている。
【先行技術文献】
【特許文献】
【０００３】
【特許文献１】特開２０１４−３３５９１号公報
【発明の概要】
【発明が解決しようとする課題】
【０００４】
蓄電制御装置と蓄電装置との間の通信に異常が発生した場合、蓄電装置に指示が伝達されず、蓄電池の充放電を制御することができなくなるおそれがあった。
【０００５】
本発明は、上記事由に鑑みてなされており、その目的は、通信異常時にも蓄電池の充放電を制御することができる蓄電制御システム、蓄電システム、蓄電制御装置、充放電制御装置、及び蓄電装置を提供することにある。
【課題を解決するための手段】
【０００６】
本発明の蓄電制御システムは、蓄電池を有し需要家施設に設けられる蓄電装置、を制御する蓄電制御システムであって、前記需要家施設において、前記蓄電装置が有する第２通信部と通信可能に構成される第１通信部と、前記第１通信部と前記第２通信部との間の通信に異常が発生した場合における前記蓄電装置への動作指示内容を示し、前記蓄電装置の記憶部に記憶される補助制御指示を作成する作成部と、前記蓄電装置への動作指示内容を示す主制御指示、及び前記補助制御指示を、前記第１通信部を介して前記蓄電装置に出力する蓄電制御部とを備え、前記蓄電制御部は、現在の時刻に対応する前記主制御指示及び前記補助制御指示を所定の間隔で前記蓄電装置に出力することを特徴とする。
【０００７】
本発明の蓄電システムは、上記の蓄電制御システムと、蓄電装置とを備え、前記蓄電装置は、蓄電池と、前記第１通信部と通信可能に構成される前記第２通信部と、前記蓄電池の充放電を制御する充放電制御部と、前記第１通信部と前記第２通信部との間における通信が正常であるか異常であるかを判断する判断部とを備え、前記第２通信部は、前記第１通信部との間の通信が正常時において前記蓄電制御部から、前記主制御指示、及び前記補助制御指示を受信し、前記充放電制御部は、前記判断部が前記第１通信部と前記第２通信部との間における通信が正常であると判断した場合、前記主制御指示に基づいて、前記蓄電池の充放電を制御し、前記判断部が前記第１通信部と前記第２通信部との間における通信が異常であると判断した場合、前記第１通信部と前記第２通信部との間における通信の正常時に受信した前記補助制御指示に基づいて、前記蓄電池の充放電を制御することを特徴とする。
【０００８】
本発明の蓄電制御装置は、蓄電池を有し需要家施設に設けられる蓄電装置、を制御する蓄電制御装置であって、前記需要家施設において、前記蓄電装置が有する第２通信部と通信可能に構成される第１通信部と、前記蓄電装置への動作指示内容を示す主制御指示、及び前記第１通信部と前記第２通信部との間の通信に異常が発生した場合における前記蓄電装置への動作指示内容を示し、前記蓄電装置の記憶部に記憶される補助制御指示を、前記第１通信部を介して前記蓄電装置に出力する蓄電制御部とを備え、前記蓄電制御部は、現在の時刻に対応する前記主制御指示及び前記補助制御指示を所定の間隔で前記蓄電装置に出力することを特徴とする。
【０００９】
本発明の充放電制御装置は、需要家施設に設けられる蓄電池の充放電を制御する充放電制御装置であって、前記需要家施設において、蓄電制御装置が有する第１通信部と通信可能に構成される第２通信部と、前記蓄電池の充放電を制御する充放電制御部と、前記第１通信部と前記第２通信部との間における通信が正常であるか異常であるかを判断する判断部とを備え、前記第２通信部は、前記第１通信部との間の通信が正常時において前記蓄電制御装置から、自装置の動作指示内容を示す主制御指示、及び前記第１通信部と前記第２通信部との間の通信に異常が発生した場合における自装置の動作指示内容を示し、前記充放電制御装置の記憶部に記憶される補助制御指示を受信し、前記充放電制御部は、前記判断部が前記第１通信部と前記第２通信部との間における通信が正常であると判断した場合、前記主制御指示に基づいて、前記蓄電池の充放電を制御し、前記判断部が前記第１通信部と前記第２通信部との間における通信が異常であると判断した場合、前記第１通信部と前記第２通信部との間における通信の正常時に受信した前記補助制御指示に基づいて、前記蓄電池の充放電を制御し、前記第２通信部は、現在の時刻に対応する前記主制御指示及び前記補助制御指示を所定の間隔で受信することを特徴とする。
【００１０】
本発明の蓄電装置は、需要家施設に設けられる蓄電池と、上記の充放電制御装置とを備えることを特徴とする。
【発明の効果】
【００１１】
本発明の蓄電制御システム、蓄電システム、蓄電制御装置、充放電制御装置、及び蓄電装置では、通信異常時にも蓄電池の充放電を制御することができるという効果がある。
【図面の簡単な説明】
【００１２】
【図１】実施形態の概略ブロック図である。
【図２】実施形態の変形例の概略ブロック図である。
【発明を実施するための形態】
【００１３】
以下、本発明の実施の形態を図面に基づいて説明する。
【００１４】
（実施形態）
図１に本実施形態の概略構成図を示す。まず、本実施形態の蓄電制御システム１００の概略について説明する。
【００１５】
本実施形態の蓄電制御システム１００は、蓄電池１１を有し需要家施設に設けられる蓄電装置１、を制御するシステムである。蓄電制御システム１００は、通信部２１（第１通信部）と、第２作成部３２（作成部）と、蓄電制御部２２とを備える。通信部２１は、蓄電装置１が有する通信部１３（第２通信部）と通信可能に構成される。第２作成部３２は、通信部２１と通信部１３との間の通信に異常が発生した場合における蓄電装置１への動作指示内容を示す補助制御指示を作成する。蓄電制御部２２は、蓄電装置１への動作指示内容を示す主制御指示、及び補助制御指示を、通信部２１を介して蓄電装置１に出力する。
【００１６】
上記構成により、本実施形態の蓄電制御システム１００は、通信異常に備えて補助制御指示を作成し蓄電装置１に出力するので、通信異常時にも蓄電池１１の充放電を制御することが可能となる。
【００１７】
以下に、本実施形態の蓄電制御システム１００、蓄電システム１０１、蓄電制御装置２、及び蓄電装置１それぞれについて詳細に説明する。
【００１８】
本実施形態の蓄電制御システム１００は、サーバ３と、蓄電制御装置２とを備えて構成されている。また、蓄電システム１０１は、蓄電制御システム１００（サーバ３及び蓄電制御装置２）と蓄電装置１とを備えて構成されている。なお、本実施形態では、需要家施設として戸建住宅９を例に説明するが、需要家施設は集合住宅や事業所などであってもよい。
【００１９】
戸建住宅９は、電気負荷８（例えば照明器具、空調装置、冷蔵庫など）に電力を供給する電源として、商用電源６、蓄電装置１、発電装置７を用いている。商用電源６は、電力系統６１を介して交流電力（商用電力）を戸建住宅９に設けられた分電盤５に供給する。また、発電装置７は、例えば太陽光発電装置であり、太陽電池モジュール７１と電力変換部７２とを備えている。太陽電池モジュール７１は、戸建住宅９の屋根などに設けられ、太陽光を受光することによって発電する。電力変換部７２は、太陽電池モジュール７１によって発電された直流電力を交流電力に変換して分電盤５に供給する。なお、発電装置７は、太陽光発電装置に限らず、例えば燃料電池を備えた燃料電池発電装置であってよい。また、発電装置７として、太陽光発電装置と燃料電池発電装置とが併用されていてもよい。また、蓄電装置１は、充電及び放電（充放電）が可能に構成された蓄電池１１と、蓄電池１１の充放電を制御する充放電制御装置１０とを備えている。充放電制御装置１０は、蓄電池１１が放電した直流電力を交流電力に変換して分電盤５に供給する電力変換部１２を備えている。分電盤５の盤内には、主幹ブレーカ及び複数の分岐ブレーカなどが内蔵されており、複数の分岐ブレーカの各々に接続された分岐回路を介して交流電力が電気負荷８に供給される。また、太陽電池モジュール７１によって発電された直流電力は、電力変換部１２で交流電力に変換し電力系統６１に逆潮流させて売電することができる。また、電力変換部１２は、分電盤５から供給される交流電力を直流電力に変換して蓄電池１１を充電することができる。
【００２０】
また、蓄電装置１に設けられた充放電制御装置１０が行う蓄電池１１の充電あるいは放電などの動作は、戸建住宅９に設けられた蓄電制御装置２によって制御される。蓄電制御装置２と、蓄電装置１の充放電制御装置１０とは、それぞれ、通信インターフェースである通信部２１、通信部１３を備えている。通信部２１と通信部１３は、接続線を介して互いに電気的に接続されており、例えばModbus（登録商標）、EIA-485(RS-485)などの通信規格に準拠して通信を行う。蓄電制御装置２は、蓄電装置１に対して制御指示を出力する蓄電制御部２２を備えている。蓄電制御部２２は、通信部２１を介して蓄電装置１の充放電制御装置１０に制御指示を出力する。また、充放電制御装置１０は、電力変換部１２を制御することで、蓄電池１１の充放電を制御する充放電制御部１４を備えている。充放電制御部１４は、通信部１３を介して受信した制御指示に基づいて電力変換部１２を制御することで、蓄電池１１の充電、放電、あるいは充電も放電も行わない待機などの動作を実行する。また、蓄電制御部２２は、電力事業者からの電力調整要請（以降、ＤＲ要請という）に基づいて蓄電装置１への制御指示を出力する。
【００２１】
近年、電力事業者などによって、電力の需給バランスを調整するためのデマンドレスポンス（Demand Response）を用いたサービスが提案されている。このデマンドレスポンスの技術の１つとして、電力事業者が顧客に対して行う要請（ＤＲ要請）がある。例えば、商用電力に関して電力需要量が電力供給量に逼迫すると予測される場合、顧客に対して電力抑制期間に商用電力の使用量を削減することを予め要請する。本実施形態におけるＤＲ要請には、対象期間における蓄電装置１の動作モードの要請が含まれている。例えば、電力需要量が電力供給量に逼迫すると予測される時間帯には蓄電池１１の放電を要請することで、商用電力の使用量の削減を図る。このＤＲ要請は、電力事業者のサーバ３によって作成される。サーバ３は、ＤＲ要請を作成する第１作成部３１、及び第２作成部３２を備えている。第１作成部３１及び第２作成部３２は、それぞれ、蓄電装置１の動作指示内容を示す主制御指示、補助制御指示をＤＲ要請として作成する。表１に示すＤＲ要請の一例を用いて、具体的に説明する。
【００２２】
【表１】
0006793321.tif 000002
【００２３】
なお、表１に記載された時間帯の区割り、主制御指示、及び補助制御指示は、一例であり、表１に記載された時間帯の区割り、主制御指示、及び補助制御指示に限定されない。
【００２４】
第１作成部３１は、蓄電制御装置２と蓄電装置１との間の通信が正常である場合における蓄電装置１の動作指示内容を示す主制御指示を作成する。第２作成部３２は、蓄電制御装置２と蓄電装置１との間の通信が異常である場合における蓄電装置１の動作指示内容である補助制御指示を作成する。すなわち、第２作成部３２は、蓄電制御装置２と蓄電装置１との間の通信異常に備えて、蓄電装置１の動作指示内容である通信異常用の補助制御指示を作成する。また、第１作成部３１は、ＤＲ要請の対象日の前日において、翌日（ＤＲ要請の対象日）の２４時間分の主制御指示を作成する。第２作成部３２は、ＤＲ要請の対象日の前日において、翌日（ＤＲ要請の対象日）の２４時間分の補助制御指示を作成する。
【００２５】
主制御指示及び補助制御指示が示す動作指示内容は、蓄電装置１の動作モードである。表１中の“充電”は、蓄電装置１が蓄電池１１の充電を行う動作モードを実行することの指示（要請）を示し、“放電”は、蓄電装置１が蓄電池１１の放電を行う動作モードを実行することの指示（要請）を示している。また、表１中の“待機”は、蓄電装置１が蓄電池１１の充電も放電も行わない動作モードを実行することの指示（要請）を示している。また、表１中の“環境優先”は、蓄電装置１が自動運転モードを実行することの指示（要請）を示している。蓄電装置１は、自動運転モードを実行する場合、電気代が安くなるように、例えば太陽電池モジュール７１の発電電力を用いた蓄電池１１の充電、電気負荷８の消費電力に応じた蓄電池１１の放電などを行う。
【００２６】
サーバ３は、第１作成部３１及び第２作成部３２によって作成されたＤＲ要請（主制御指示、補助制御指示）を、デマンドレスポンス信号（以降、ＤＲ信号という）を用いて蓄電制御装置２に出力する。サーバ３は、通信インターフェースである通信部３３を備えており、電気回線４１（例えばインターネット回線）に接続されている。また、蓄電制御装置２は、通信インターフェースである通信部２３を備えており、ルータ４２を介して電気回線４１に接続されている。そして、蓄電制御装置２は、例えばHTTPS（Hypertext Transfer Protocol Secure）、ETHERNET（登録商標）などの通信規格を用いて、ルータ４２及び電気回線４１を介してサーバ３からＤＲ信号を受信する。
【００２７】
蓄電制御装置２は、受信したＤＲ信号に含まれるＤＲ要請に基づいて、蓄電装置１に制御指示を出力する。具体的には、蓄電制御装置２は、サーバ３から受信したＤＲ信号に含まれるＤＲ要請を記憶する記憶部２４をさらに備えている。蓄電制御部２２は、記憶部２４に記憶されたＤＲ要請を参照して、現在の時刻に対応する主制御指示及び補助制御指示を抽出し、抽出した主制御指示及び補助制御指示を通信部２１を介して蓄電装置１の充放電制御装置１０に出力する。蓄電制御部２２は、所定の間隔（例えば１分間隔）で主制御指示及び補助制御指示を蓄電装置１に出力している。
【００２８】
蓄電装置１に設けられた充放電制御装置１０は、蓄電制御装置２から出力された主制御指示及び補助制御指示に基づいて、蓄電池１１の充放電を制御する。具体的には、充放電制御装置１０は、判断部１５と記憶部１６とをさらに備えている。判断部１５は、通信部２１と通信部１３との間の通信が正常であるか異常であるかを判断する。判断部１５は、所定の期間（例えば５分間）内に、通信部１３が主制御指示及び補助制御指示を受信した場合、通信部２１と通信部１３との間の通信が正常であると判断する。また、判断部１５は、所定の期間（例えば５分間）、通信部１３が主制御指示及び補助制御指示を受信できなかった場合、通信部２１と通信部１３との間の通信が異常であると判断する。記憶部１６は、蓄電制御装置２から受信した補助制御指示を記憶する。記憶部１６に記憶される補助制御指示は、通信部１３が補助制御指示を受信する度に最新の補助制御指示に更新される。
【００２９】
そして、充放電制御部１４は、判断部１５が、通信部２１と通信部１３との間の通信が正常であると判断した場合、通信部１３が受信した最新の主制御指示が示す動作モードが実行されるように電力変換部１２を制御する。これにより、蓄電装置１は、ＤＲ要請に応じた蓄電池１１の充放電制御を行うことができ、電力需要量が電力供給量に逼迫すると予測される時間帯に商用電力の使用量の削減が図ることができる。
【００３０】
また、充放電制御部１４は、判断部１５が、通信部２１と通信部１３との間の通信が異常であると判断した場合、記憶部１６に記憶された補助制御指示が示す動作モードを実行されるように電力変換部１２を制御する。すなわち、蓄電装置１は、蓄電制御装置２から主制御指示を受信することができなくなった場合、通信の正常時に受信して記憶部１６に記憶された通信異常時用の動作指示内容である補助制御指示に基づいて、蓄電池１１を充放電制御する。これにより、蓄電装置１と蓄電制御装置２との間の通信に異常が発生した場合であっても、予め設定された蓄電池１１の充放電制御を行うことができる。
【００３１】
なお、通信部２１と通信部１３との間の通信が途絶えてから、判断部１５が通信部２１と通信部１３との間の通信が異常であると判断するまでの期間は、充放電制御部１４は、最新の主制御指示に基づいた蓄電池１１の充放電制御を継続する。
【００３２】
上述したように、本実施形態の蓄電制御システム１００は、蓄電制御装置２と蓄電装置１との間の通信異常に備えて、蓄電装置１の動作指示内容である通信異常用の補助制御指示を作成し、蓄電装置１に伝達している。そして、蓄電装置１は、蓄電制御装置２と蓄電装置１との間に通信異常が発生した場合、補助制御指示に基づいて蓄電池１１の充放電制御を行う。したがって、本実施形態の蓄電制御システム１００は、蓄電制御装置２と蓄電装置１との間の通信異常時にも蓄電池１１の充放電を制御することが可能となる。
【００３３】
また、本実施形態の蓄電システム１０１は、蓄電制御システム１００と、蓄電装置１とを備えるシステムである。蓄電装置１は、蓄電池１１と、通信部１３（第２通信部）と、充放電制御部１４と、判断部１５とを備える。通信部１３は、通信部２１（第１通信部）と通信可能に構成される。充放電制御部１４は、蓄電池１１の充放電を制御する。判断部１５は、通信部２１と通信部１３との間の通信が正常であるか異常であるかを判断する。そして、通信部１３は、通信部２１との間の通信が正常時において蓄電制御部２２から、主制御指示、及び補助制御指示を受信する。充放電制御部１４は、判断部１５が通信部２１と通信部１３との間における通信が正常であると判断した場合、主制御指示に基づいて、蓄電池１１の充放電を制御する。また、充放電制御部１４は、判断部１５が通信部２１と通信部１３との間における通信が異常であると判断した場合、通信部２１と通信部１３との間における通信の正常時に受信した補助制御指示に基づいて、蓄電池１１の充放電を制御する。
【００３４】
上記構成により、本実施形態の蓄電システム１０１は、蓄電制御装置２と蓄電装置１との間の通信異常時にも蓄電池１１の充放電を制御することが可能となる。
【００３５】
また、本実施形態の蓄電制御装置２は、蓄電池１１を有し戸建住宅９（需要家施設）に設けられる蓄電装置１、を制御する装置である。蓄電制御装置２は、通信部２１（第１通信部）と、蓄電制御部２２とを備える。通信部２１は、蓄電装置１が有する通信部１３（第２通信部）と通信可能に構成される。蓄電制御部２２は、蓄電装置１への動作指示内容を示す主制御指示、及び通信部２１と通信部１３との間の通信に異常が発生した場合における蓄電装置１への動作指示内容を示す補助制御指示を、通信部２１を介して蓄電装置１に出力する。
【００３６】
上記構成の蓄電制御装置２によって、蓄電制御装置２と蓄電装置１との間の通信異常時にも蓄電池１１の充放電を制御することが可能となる。
【００３７】
また、本実施形態の充放電制御装置１０は、戸建住宅９（需要家施設）に設けられる蓄電池１１の充放電を制御する装置である。充放電制御装置１０は、通信部１３（第２通信部）と、充放電制御部１４と、判断部１５とを備える。通信部１３は、蓄電制御装置２が有する通信部２１（第１通信部）と通信可能に構成される。充放電制御部１４は、蓄電池１１の充放電を制御する。判断部１５は、通信部２１と通信部１３との間における通信が正常であるか異常であるかを判断する。そして、通信部１３は、通信部２１との間の通信が正常時において蓄電制御装置２から、自装置の動作内容を示す主制御指示、及び通信部２１と通信部１３との間の通信に異常が発生した場合における自装置の動作指示内容を示す補助制御指示を受信する。充放電制御部１４は、判断部１５が通信部２１と通信部１３との間における通信が正常であると判断した場合、主制御指示に基づいて、蓄電池１１の充放電を制御する。また、充放電制御部１４は、判断部１５が通信部２１と通信部１３との間における通信が異常であると判断した場合、通信部２１と通信部１３との間における通信の正常時に受信した補助制御指示に基づいて、蓄電池１１の充放電を制御する。
【００３８】
上記構成の充放電制御装置１０によって、蓄電制御装置２と蓄電装置１（充放電制御装置１０）との間の通信異常時にも蓄電池１１の充放電を制御することが可能となる。
【００３９】
また、補助制御指示が示す動作指示内容は、蓄電池１１の充電、及び蓄電池１１の放電を含む蓄電装置１の動作モードである。蓄電装置１は、動作モードが指示されるので、補助制御指示に基づいた蓄電池１１の充放電制御を行う際の処理が容易となる。
【００４０】
また、充放電制御部１４は、判断部１５の判断結果が、通信部２１と通信部１３との間における通信の異常状態から正常状態に切り替わった場合、通信部１３が受信した主制御指示に基づいて、蓄電池１１を充放電制御する。これにより、充放電制御部１４は、蓄電制御装置２と蓄電装置１との間の通信状態が回復して正常となった際に、ＤＲ要請に応じた蓄電池１１の充放電制御を行うことができる。したがって、電力需要量が電力供給量に逼迫すると予測される時間帯に商用電力の使用量の削減が図ることができる。
【００４１】
また、充放電制御部１４は、蓄電池１１の残容量に応じて、主制御指示及び補助制御指示が示す動作モードとは異なる動作モードを実行する場合がある。具体的には、蓄電装置１は、蓄電池１１の残容量を検出し、検出結果を充放電制御部１４に出力する検出部１７を備えている。検出部１７は、蓄電池１１の残容量を検出し、検出結果を充放電制御部１４に出力する。充放電制御部１４は、蓄電池１１の残容量と、主制御指示または補助制御指示とに基づいて、蓄電池１１の充放電を制御する。例えば、充放電制御部１４は、蓄電池１１の残容量が閾値以下である場合、主制御指示あるいは補助制御指示が示す動作モードが“放電”であっても、蓄電池１１の過放電を防止するために蓄電池１１の充電を行うように電力変換部１２を制御する。このように、充電制御部は、蓄電池１１の残容量と、主制御指示または補助制御指示とに基づいて、蓄電池１１の充放電を制御することによって、蓄電池１１の過放電などによる劣化を抑制することが可能となる。
【００４２】
また、本実施形態の蓄電装置１は、戸建住宅９（需要家施設）に設けられる蓄電池１１と、充放電制御装置１０とを備える。上記構成の蓄電装置１によって、蓄電制御装置２と蓄電装置１との間の通信異常時にも蓄電池１１の充放電を制御することが可能となる。
【００４３】
なお、本実施形態では、第１作成部３１及び第２作成部３２は、主制御指示及び補助制御指示を１日１回作成しているが、１日に複数回作成するように構成され、ＤＲ信号が１日に複数回送信されるように構成されていてもよい。
【００４４】
また、判断部１５は、所定の期間（例えば５分間）、通信部１３が主制御指示及び補助制御指示を受信できなかった場合、通信部２１と通信部１３との間の通信が異常であると判断するように構成されているが、判断方法は上記に限定しない。また、判断部１５による、通信異常の有無の判断方法、あるいは判断基準は、蓄電制御装置２によって変更、更新されるように構成されていてもよい。
【００４５】
なお、本実施形態の蓄電装置１は、充放電制御装置１０を備える構成であるが、充放電制御装置１０は、蓄電装置１と別体に設けられた構成であってもよい。また、蓄電制御装置２と蓄電装置１とは、同一の筐体内に設けられ一体に構成されていてもよい。すなわち、蓄電制御装置２、蓄電装置１、及び充放電制御装置１０は、一体に構成されていてもよいし、それぞれ別体に構成されていてもよい。
【００４６】
次に、蓄電制御システム１００の変形例を図２に示す。本変形例の蓄電制御システム１００Ａでは、サーバ３ではなく、蓄電制御装置２が、補助制御指示を作成する第２作成部２５を備えている。本変形例の蓄電制御システム１００Ａであっても、蓄電制御装置２と蓄電装置１との間の通信異常時にも蓄電池１１の充放電を制御することが可能となる。また、戸建住宅９に設けられた蓄電制御装置２が第２作成部２５を備えることによって、蓄電装置１のユーザが、通信異常時に備えた補助制御指示の指示内容を容易に設定することも可能となる。
【００４７】
なお、上述した実施形態及び変形例は本発明の一例である。このため、本発明は、上述の実施形態及び変形例に限定されることはなく、この実施形態以外であっても、本発明に係る技術的思想を逸脱しない範囲であれば、設計等に応じて種々の変更が可能であることはもちろんのことである。
【符号の説明】
【００４８】
１００，１００Ａ  蓄電制御システム
１０１  蓄電システム
１  蓄電装置
１０  充放電制御装置
１１  蓄電池
１３  通信部（第２通信部）
１４  充放電制御部
１５  判断部
２  蓄電制御装置
２１  通信部（第１通信部）
２２  蓄電制御部
２５  第２作成部（作成部）
３２  第２作成部（作成部）
９  戸建住宅（需要家施設）
【図１】
0006793321.tif 000003
【図２】
0006793321.tif 000004